(57)【要約】【課題】装置本体の美観を損なうことなく、開口を露出させた状態に維持できる開口カバーを提供する。【解決手段】コネクタやリムーバブル記録媒体を挿抜するために携帯端末に設けられた開口部を隠蔽するための端子カバー１０１であって、携帯端末に設置される支持部１０３と、開口部を塞ぐための蓋部１０２とを有し、蓋部１０２は、支持部１０３によって支持されるとともに、開口部の正面に位置しない状態で支持部１０３に固定可能である。【選択図】図１
2008235069.tif 000002
【特許請求の範囲】
【請求項１】
任意の部材を挿抜するために携帯端末に設けられた開口部を隠蔽するための開口カバーであって、
前記携帯端末に設置される支持部と、前記開口部を塞ぐための蓋部とを有し、
前記蓋部は、前記支持部によって支持されるとともに、前記開口部の正面に位置しない状態で前記支持部に固定可能であることを特徴とする開口カバー。
【請求項２】
前記蓋部と前記支持部とは、可撓性を有するヒンジ部を介して連結されていることを特徴とする請求項１記載の開口カバー。
【請求項３】
前記蓋部及び前記支持部には、穴又は凹部と突起とが少なくとも一対設けられており、前記穴又は凹部と前記突起とを嵌合させることにより、前記蓋部は、前記開口部の正面に位置しない状態で前記支持部に固定されることを特徴とする請求項２記載の開口カバー。
【請求項４】
前記穴又は凹部には、少なくとも一つのスリット又は溝が放射状に形成されていることを特徴とする請求項３記載の開口カバー。
【請求項５】
前記蓋部には、前記支持部の幅よりも狭い間隔で一対の突起が設けられており、該突起同士の間に前記支持部を挟持させることにより、前記蓋部は、前記開口部の正面に位置しない状態で前記支持部に固定されることを特徴とする請求項２記載の開口カバー。
【請求項６】
前記蓋部には、前記支持部の幅と略同一間隔で返しを備えた爪が一対設けられており、該爪の返しを前記支持部に係合させることにより、前記蓋部は、前記開口部の正面に位置しない状態で前記支持部に固定されることを特徴とする請求項２記載の開口カバー。
【請求項７】
前記蓋部に設けられた軸受部と、前記支持部に設けられた軸部とによって、前記蓋部と前記支持部とが回動自在に連結されており、
前記軸受部及び前記支持部には、前記蓋部が前記開口部の正面に位置しない状態で嵌合するように少なくとも一対の凹凸が形成されていることを特徴とする請求項１記載の開口カバー。
【発明の詳細な説明】
【技術分野】
【０００１】
本発明は、携帯端末の開口部を塞ぐための開口カバーに関し、特に、装置本体の美観を損なうことなく、開口を露出させた状態に維持できる開口カバーに関する。
【背景技術】
【０００２】
携帯電話機の外部記憶装置のコネクタや外部との接続端子には、外観意匠性向上やゴミの侵入を防止することを目的として開口カバー（以下、端子カバーと呼ぶ）が取り付けられている。
【０００３】
端子カバーは折り曲げられるようにしたり、携帯電話機の筐体に嵌めるために変形し所定の位置へ収まるようにしたりするため、軟質プラスチックで構成されることが一般的である。
【０００４】
軟質プラスチックは弾性変形するため、端子カバーを開けた状態では材質の弾性によって元の形状に戻ろうとする。このため、携帯電話機のユーザが端子カバーを開けて操作する際に、端子カバーが邪魔となっていた。
【０００５】
図５に、従来の携帯電話機端の端子カバーの構成を示す。端子カバー５０１は、軟質プラスチックによって形成されており、ヒンジ部５０４での材料の弾性を利用して開閉動作を可能としている。端子カバー５０１を開いた状態では、支持部５０３は材料の弾性によって復元力が作用し、端子カバー５０１を閉じようとするため、蓋部５０２は、端子カバー５０１を開いて外部メモリカードやヘッドフォンなどを抜き差しする操作の邪魔となってしまう。
【０００６】
端子カバーを開いた状態に保持することを目的とした従来技術として、特許文献１に開示される「端子台カバーの取付構造」がある。
【特許文献１】実開平５−５３１４１号公報
【発明の開示】
【発明が解決しようとする課題】
【０００７】
しかし、特許文献１に開示される発明は、装置側にも嵌合用の突起又は穴を設けなければならないため、外観上の美観を損なうという問題があった。
【０００８】
本発明は係る問題に鑑みてなされたものであり、装置本体の美観を損なうことなく、開口を露出させた状態に維持できる開口カバーを提供することを目的とする。
【課題を解決するための手段】
【０００９】
本発明は、上記目的を達成するために、任意の部材を挿抜するために携帯端末に設けられた開口部を隠蔽するための開口カバーであって、携帯端末に設置される支持部と、開口部を塞ぐための蓋部とを有し、蓋部は、支持部によって支持されるとともに、開口部の正面に位置しない状態で支持部に固定可能であることを特徴とする開口カバーを提供するものである。
【００１０】
本発明においては、蓋部と支持部とは、可撓性を有するヒンジ部を介して連結されていることが好ましく、これに加えて、蓋部及び支持部には、穴又は凹部と突起とが少なくとも一対設けられており、穴又は凹部と突起とを嵌合させることにより、蓋部は、開口部の正面に位置しない状態で支持部に固定されることがより好ましく、さらに加えて、穴又は凹部には、少なくとも一つのスリット又は溝が放射状に形成されていることがより好ましい。
【００１１】
又は、本発明においては、蓋部と支持部とは、可撓性を有するヒンジ部を介して連結され、蓋部には、支持部の幅よりも狭い間隔で一対の突起が設けられており、該突起同士の間に支持部を挟持させることにより、蓋部は、開口部の正面に位置しない状態で支持部に固定されることが好ましい。
【００１２】
又は、本発明においては、蓋部と支持部とは、可撓性を有するヒンジ部を介して連結され、蓋部には、支持部の幅と略同一間隔で返しを備えた爪が一対設けられており、該爪の返しを支持部に係合させることにより、蓋部は、開口部の正面に位置しない状態で支持部に固定されることが好ましい。
【００１３】
又は、本発明においては、蓋部に設けられた軸受部と、支持部に設けられた軸部とによって、蓋部と支持部とが回動自在に連結されており、軸受部及び支持部には、蓋部が開口部の正面に位置しない状態で嵌合するように少なくとも一対の凹凸が形成されていることが好ましい。
【発明の効果】
【００１４】
本発明によれば、装置本体の美観を損なうことなく、開口を露出させた状態に維持できる開口カバーを提供できる。
【発明を実施するための最良の形態】
【００１５】
〔第１の実施形態〕
本発明を好適に実施した第１の実施形態について説明する。図１に本実施形態に係る携帯電話機の端子カバーの構成を示す。端子カバー１０１は、蓋部１０２と支持部１０３とこれらを連結するヒンジ部１０４とを有する。蓋部１０２には、支持部１０３の嵌る寸法よりも狭い間隔で突起１０５が設けられ、支持部１０３の蓋部１０２の突起１０５が嵌合する部位の幅は、蓋部１０２の突起１０５の間隔よりも大きくなっている。端子カバー１０１は、ヒンジ部１０４で折れ曲がり、蓋部１０２の突起１０５と嵌合部位とは互いに弾性変形して嵌り、弾性変形によって生じる摩擦力がヒンジ部１０４の弾性変形による復元力に打ち勝って嵌合が保持される。
【００１６】
端子カバー１０１は、ヒンジ部１０４で折れ曲がり、蓋部１０２の突起１０５と嵌合部位とは互いに弾性変形して嵌り、弾性変形によって生じる摩擦力によってヒンジ部１０４の弾性変形の復元力を打ち消し、嵌合することにより、端子カバー１０１を携帯電話機のユーザの操作範囲１０６の外に保持した状態で維持できる。
【００１７】
〔第２の実施形態〕
本発明を好適に実施した第２の実施形態について説明する。図２に、本実施形態に係る携帯電話機の端子カバーの構成を示す。端子カバー２０１は、第１の実施形態と同様に、蓋部２０２と支持部２０３とこれらを連結するヒンジ部２０４とを有する。蓋部２０２には、突起２０５が設けられている。また、支持部２０３には突起２０５の外形よりも小さい穴２０６が設けられている。支持部２０３の穴２０６は、蓋部２０２の突起２０４が嵌合する際に変形しやすくするために周囲にスリット２０７が設けられている。端子カバー２０１は、ヒンジ部２０４で折れ曲がり、蓋部２０２の突起２０５が穴２０６に挿入されてその周囲が変形する。穴２０６に差し込まれた突起２０５と穴２０６との摩擦力がヒンジ部２０４の弾性変形による復元力に打ち勝って嵌合が保持される。
【００１８】
〔第３の実施形態〕
本発明を好適に実施した第３の実施形態について説明する。図３に、本実施形態に係る携帯電話機の端子カバーの構成を示す。端子カバー３０１は、第１の実施形態と同様に、蓋部３０２と支持部３０３とこれらを連結するヒンジ部３０４とを有する。蓋部３０２には爪３０５が設けられており、爪３０５の返しの部分を支持部３０３に係合できるようになっている。
爪３０５を支持部３０３に係合させた状態では、爪３０５と支持部３０３と係合による保持力がヒンジ部３０４の折れ曲がりによって生じる復元力に打ち勝って係合が保持される。
【００１９】
〔第４の実施形態〕
本発明を好適に実施した第４の実施形態について説明する。図４に、本実施形態に係る携帯電話機の端子カバーの構成を示す。端子カバー４０１は、蓋部４０２と支持部４０３とが独立した２ピース構造である。蓋部４０２には穴４０４が設けられている。また、支持部４０３はシャフト４０５が設けられている。シャフト４０５は穴４０４に挿入され回動自在に支持されている。穴４０４には、凹部４０６が設けられている。また、シャフト４０５には凸部４０７が設けられている。凹部４０６及び凸部４０７は、蓋部４０２を開いた状態の時に嵌合する位置関係となるように配置されている。
【００２０】
本実施形態係る端子カバーは、蓋部を開いた状態で固定できるため、ユーザの操作の邪魔とはならない。しかも、蓋部や支持部にはストレスを加えていないため、長い時間蓋部を開けた状態に保持したとしても、蓋部や支持部が塑性変形して端子カバーが元の位置に戻らなくなることは無い。
【００２１】
なお、上記各実施形態は本発明の好適な実施の一例であり、本発明はこれに限定されることは無い。
例えば、上記第２の実施形態においては、支持部に穴が形成されている場合を例としたが、これは貫通していない凹部であっても良い。また、支持部に突起を、蓋部に穴（凹部）をそれぞれ設けるようにしても良い。
また、第１〜第３の実施形態おいて、突起や爪を図示した数よりも多く設けても良い。同様に、第４の実施形態において、凹部及び凸部を一対以上設けても良い。
このように、本発明は様々な変形が可能である。
【図面の簡単な説明】
【００２２】
【図１】本発明を好適に実施した第１の実施形態に係る携帯電話機の端子カバーの構成を示す図である。
【図２】本発明を好適に実施した第２の実施形態に係る携帯電話機の端子カバーの構成を示す図である。
【図３】本発明を好適に実施した第３の実施形態に係る携帯電話機の端子カバーの構成を示す図である。
【図４】本発明を好適に実施した第４の実施形態に係る携帯電話機の端子カバーの構成を示す図である。
【図５】従来の携帯電話機の端子カバーの構成を示す図である。
【符号の説明】
【００２３】
１０１、２０１、３０１、４０１    端子カバー
１０２、２０２、３０２、４０２    蓋部
１０３、２０３、３０３、４０３    支持部
１０４、２０４、３０４    ヒンジ部
１０５、２０５    突起
１０６    操作範囲
２０６、４０４    穴
２０７    スリット
３０５    爪
４０５  シャフト
４０６    凹部
４０７    凸部
【図１】
2008235069.tif 000003
【図２】
2008235069.tif 000004
【図３】
2008235069.tif 000005
【図４】
2008235069.tif 000006
【図５】
2008235069.tif 000007